【事件の表示】
　平成　８年特許願第５１９３２６号「アリールチオキサンチン類」拒絶査定不服審判事件〔平成　８年　６月２０日国際公開、ＷＯ９６／１８３９９、平成１０年　８月　４日国内公表、特表平１０−５０８０３２〕について、次のとおり審決する。
【結　論】
　本件審判の請求は、成り立たない。
【理　由】
１．手続の経緯
　本願は、平成７年１２月１２日に国際出願され（ＰＣＴ／ＵＳ９５／１６７２３、優先日１９９４年１２月１３日、米国）、拒絶査定の後、審判請求の際に補正をすることができる期間内である平成１３年１２月５日付で手続補正書が提出されたものである。
　
２．平成１３年１２月５日付の手続補正についての補正却下の決定
［補正却下の決定の結論］
　　平成１３年１２月５日付の手続補正を却下する。
［理由］
　平成１３年１２月５日付の手続補正（以下、「本件補正」という。）の前の平成１３年５月２１日付手続補正は、平成１３年８月７日付補正却下により却下されており、本件補正は、平成１２年１２月１月２７日付の手続補正により補正された明細書（以下、「本件補正前の明細書」）の特許請求の範囲を次のように変更しようとするものである。
（なお、本審決においては、本願明細書および引用例に小さい文字で記載された文字についても、通常の大きさの文字で記載する。）
　
＜本件補正＞
「【請求項１】次式（I）：
【式１】
[式中、
Q3は、単結合、C1-8アルキレン、C2-8アルケニレンおよびC2-8アルキニレンよりなる群から選ばれ、
　Q8は、C1-8アルキレン、C2-8アルケニレンおよびC2-8アルキニレンよりなる群から選ばれ、
　R3は、水素、アリール、ピリジル、ピリミジル、キノリルおよびイソキノリルよりなる群から選ばれ、ここで該アリール、ピリジル、ピリミジル、キノリルおよびイソキノリルは、ハロゲン、ヒドロキシ、アルコキシ、ニトロ、シアノおよびカルボキシよりなる群から選ばれる置換基で置換されていてもよく、
　R8は、水素、アリール、ピリミジル、キノリルおよびイソキノリルよりなる群から選ばれ、ここで該アリール、ピリミジル、キノリルおよびイソキノリルは、ハロゲン、ヒドロキシ、アルコキシ、ニトロ、シアノおよびカルボキシよりなる群から選ばれる置換基で置換されていてもよく、
　ただし、Q3R3は水素またはメチルではなく、且つR3およびR8の少なくとも一方は置換アリール、ピリジル、ピリミジル、キノリルまたはイソキノリルであり、且つQ3R3またはQ8R8がC1-8アルキルであるときには、該C1-8アルキルは１以上のハロゲン、ヒドロキシ、アルコキシまたはシクロアルキル基で置換されていてもよい]で表される化合物、並びに医薬的に許容可能なその塩。
【請求項２】次式（II）：
【式２】
[式中、
　Q3、Q6a、Q6bおよびQ8は、それぞれ独立に単結合、C1-8アルキレン、C2-8アルケニレンまたはC2-8アルキニレンであり、
　R3、R6a、R6bおよびR8は、それぞれ独立に水素、アリールまたはヘテロアリールであり、ここで該アリールまたはヘテロアリールはハロゲン、ヒドロキシ、アルコキシ、ニトロ、シアノまたはカルボキシで置換されていてもよく、
　ただし、Q3R3は水素またはメチルではなく、Q8R8は水素ではない]
で表される化合物、および医薬的に許容可能なその塩。
【請求項３】3-(4-クロロベンジル)-N6-エチル-8-イソプロピル-イソグアニンである、請求項２に記載の化合物。
【請求項４】R3が、非置換または置換されたアリールである、請求項１または２に記載の化合物。
【請求項５】3-(3-シクロペンチルオキシ-4-メトキシベンジル)-8-イソプロピル-6-チオキサンチン；
3-(4-クロロベンジル)-6-チオキサンチン；
3-(3-クロロベンジル)-8-イソプロピル-6-チオキサンチン；
3-(3-シクロペンチルオキシ-4-メトキシベンジル)-6-チオキサンチン；
3-(4-クロロフェニル)-8-イソプロピル-6-チオキサンチン；
8-(3-シクロペンチルオキシ-4-メトキシベンジル)-3-エチル-6-チオキサンチン
；および
8-(3,4-ジメトキシベンジル)-3-プロピル-6-チオキサンチン
よりなる群から選ばれる、請求項１に記載の化合物、並びに医薬的に許容可能なその塩。
【請求項６】請求項１〜５のいずれかに記載の化合物並びに医薬的に許容可能な賦形剤を含む、医薬組成物。」
　
　本件補正前の明細書に記載された特許請求の範囲は、次のとおりである。
＜本件補正前＞
「１．次式（I）：
[式中、
　Q3は、単結合、C1-8アルキレン、C2-8アルケニレンおよびC2-8アルキニレンよりなる群から選ばれ、
　Q8は、C1-8アルキレン、C2-8アルケニレンおよびC2-8アルキニレンよりなる群から選ばれ、
　R3は、水素、アリール、ピリジル、ピリミジル、キノリルおよびイソキノリルよりなる群から選ばれ、ここで該アリール、ピリジル、ピリミジル、キノリルおよびイソキノリルは、非置換であるか、或いはハロゲン、ヒドロキシ、アルコキシ、ニトロ、シアノおよびカルボキシで置換されており、
　R8は、水素、アリール、ピリミジル、キノリルおよびイソキノリルよりなる群から選ばれ、ここで該アリール、ピリミジル、キノリルおよびイソキノリルは非置換であるか、或いはハロゲン、ヒドロキシ、アルコキシ、ニトロ、シアノおよびカルボキシよりなる群から選ばれる置換基で置換されており、
　ただし、Q3R3は水素またはメチルではなく、且つR3およびR8の少なくとも一方はアリール、ピリジル、ピリミジル、キノリルまたはイソキノリルであり、さらに
　Q3R3またはQ8R8がC1-8アルキルであるときには、該C1-8アルキルは非置換であるか、或いは１以上のハロゲン、ヒドロキシ、アルコキシまたはシクロアルキル基で置換されている]で表される化合物。
２．次の化合物：
3-(3-シクロペンチルオキシ-4-メトキシベンジル)-8-イソプロピル-6-チオキサンチン；
8-イソプロピル-3-(4-ピリジルメチル)-6-チオキサンチン
3-(3-クロロベンジル)-8-イソプロピル-6-チオキサンチン；
3-(4-クロロフェニル)-8-イソプロピル-6-チオキサンチン；
8-(3-シクロペンチルオキシ-4-メトキシベンジル)-3-エチル-6-チオキサンチン；
8-(3,4-ジメトキシベンジル)-3-プロピル-6-チオキサンチン；および
8-(2-ナフチルメチル)-3-プロピル-6-チオキサンチン
よりなる群から選ばれる、請求項１に記載の化合物。
３．次式（II）：
[式中、
　Q3、Q6a、Q6bおよびQ8は、それぞれ独立に単結合、C1-8アルキレン、C2-8アルケニレンまたはC2-8アルキニレンであり、
　R3、R6a、R6bおよびR8は、それぞれ独立に水素、アリールまたはヘテロアリールであり、ここで該アリールまたはヘテロアリールは非置換であるか、或いはハロゲン、ヒドロキシ、アルコキシ、ニトロ、シアノまたはカルボキシで置換されており、
　ただし、Q3R3は水素またはメチルではなく、Q8R8は水素ではない]
で表される化合物。
４．次の化合物
3-(4-クロロベンジル)-N6-エチル-8-イソプロピル-イソグアニン；
3-シクロプロピルメチル-8-(1-メチルエチル)-6-プロピルアミノ-イソグアニン塩酸塩；
8-シクロプロピル-3-エチル-6-エチルアミノ-イソグアニン塩酸塩；および
よりなる群から選ばれる、請求項３に記載の化合物。
５．R3が、非置換または置換されたアリールである、請求項１または３に記載の化合物。
６．請求項１〜４のいずれかに記載の化合物を含む、医薬組成物。
７．選択的ＰＤＥIV阻害を要する患者に該薬効を生じせしめるための、請求項１〜４のいずれかに記載の化合物の使用。
８．喘息、アレルギー、炎症、うつ状態、痴呆、アトピー性患者、鼻炎および異常に高いレベルのサイトカインと関連した症状よりなる群から選ばれる病的状態にある哺乳動物を治療するための、請求項１〜４のいずれかに記載の化合物の使用。」
　
　本件補正は、請求項１，２及び５に「医薬的に許容可能なその塩」を追加し、さらに、請求項５に「３-（４-クロロベンジル）-６-チオキサンチン」及び「３-（３-シクロベンチルオキシ-４-メトキシベンジル）-６-チオキサンチン」を追加しようとするものである。しかしながら「医薬的に許容可能なその塩」、「３-（４-クロロベンジル）-６-チオキサンチン」及び「３-（３-シクロベンチルオキシ-４-メトキシベンジル）-６-チオキサンチン」は、本件補正前の請求項のいずれにも記載されておらず、上記塩及び２つの化合物を追加する補正は、特許請求の範囲の減縮を目的とするものではない。また、上記補正は、請求項の削除、誤記の訂正及び明りょうでない記載の釈明のいずれを目的とするものでもない。
　このように、本件補正は、特許法第１７条の２第４項第１号、第２号、第３号及び第４号に規定されたいずれにも該当せず、特許法第１５９条で準用する特許法第５３条第１項の規定により却下すべきものである。
　
３．本願発明
　平成１３年１２月５日付の手続補正は上記のとおり却下されたので、本願の請求項１〜８に係る発明（以下、各請求項に係る発明を、それぞれ「本願発明１〜８」という。）は、上記補正前の平成１２年１月２７日付手続補正書により補正された明細書の特許請求の範囲の請求項１〜８に記載された事項により特定されるとおりのものである。
　
４．引用例の記載
　本願の優先日前に頒布され、原査定の拒絶の理由に引用された刊行物
である引用例１（特開平３−２０４８８０号公報）には、3-N-プロピル-8-スチリル-6-チオキサンチンを合成して得たことが記載されている。（２３頁参考例１２）
　
５．対比・判断
　本願請求項１に記載の一般式が引用例１に記載された上記化合物を包含することは、上記化合物が請求項１に一般式において、次の置換基を持つものに相当することから明らかである。
R3：水素、Q3：C3アルキレン、R8：アリール、Q8：C2アルケニレン
　したがって、本願発明１は、引用例１に記載の発明（化合物）と同一である。
　また、本願発明７及び８は、人の病気の治療方法を含んでおり、産業上利用することができる発明に該当しない。
　
６．むすび
　以上のとおり、本願発明１は、引用例１に記載された発明であるから、特許法第２９号第１項第３号に該当し、特許法第２９条第１項の規定により特許を受けることができず、また、本願発明７及び８は、特許を受けることができる発明について規定した特許法第２９条柱書にいう産業上利用することができる発明に該当しないから、これらの発明はいずれも特許を受けることができない。
　よって、結論のとおり審決する。